【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
カプセルにより貯蔵される薬物；
被験者の胃腸管内でのカプセルの配置に応答してその状態を変えるように適合化されている、環境感受性の機構；および
環境感受性の機構の状態変化に応答して、胃腸管の内皮層を直接通して薬物を駆動するように適合化されている駆動機構、
を含んでなる摂取可能なカプセル
を含んでなる、薬物投与のための装置。
【請求項２】
環境感受性の機構が、該カプセルが被験者の小腸にある場合に状態の変化を受けるように適合化されている、請求項１に記載の装置。
【請求項３】
カプセルが、環境感受性の機構の状態変化に応答して膨張するように適合化されている自己膨張可能な部分を含んでなる、請求項１または２に記載の装置。
【請求項４】
環境感受性の機構がカプセルの表面上のコーティングを含んでなる、請求項１または２に記載の装置。 
【請求項５】
コーティングがｐＨ感受性のコーティングを含んでなる、請求項４に記載の装置。
【請求項６】
コーティングが、状態の変化の前に、胃腸管の第一の液体との駆動機構の接触を実質的に防止する様式で駆動機構の一部分を覆うように適合化されており、また、
該コーティングが、胃腸管の第二の液体と該コーティングとの接触に応答して、駆動機能の該部分を除覆するように適合化されている、
請求項４に記載の装置。
【請求項７】
駆動機構が、該駆動機構の該部分の除覆に応答して、胃腸管の内皮層を直接通して薬物を駆動するように適合化されている、請求項６に記載の装置。
【請求項８】
カプセルがその鋭利な先端を含んでなる針を含んでなり、また、
該針の先端が、環境感受性の機構の状態変化に応答して、胃腸管の内皮層に接触するように適合化されている、
請求項１または２に記載の装置。
【請求項９】
駆動機構が制御部、第一の電極および第二の電極を含んでなり、また、
該制御部が、環境感受性の機構の状態変化に応答して第一および第二の電極の間で電流を駆動するように適合化されている、
請求項１または２に記載の装置。
【請求項１０】
駆動機構が第三の電極を含んでなり、かつ、制御部が、環境感受性の機構の状態変化に応答して第一および第三の電極の間で電流を駆動するように適合化されている、請求項９に記載の装置。
【請求項１１】
制御部が、第一および第二の電極の間で駆動される電流を、本質的にイオントフォレーシス電流よりなるよう設定するように適合化されており、また、
制御部が、第一および第三の電極の間で駆動される電流を、本質的に電気脈動電流よりなるよう設定するように適合化されている、
請求項１０に記載の装置。
【請求項１２】
制御部が、電気脈動によって胃腸管の内皮層の強固な接合部を通る薬物の伝導を増大させるように電流を設定するように適合化されている、請求項９に記載の装置。
【請求項１３】
制御部が、電流が約１００Ｈｚ未満の特徴的な周波数を有するように設定するように適合化されている、請求項１２に記載の装置。
【請求項１４】
制御部が、電流が約１Ｈｚより大きい特徴的な周波数を有するように設定するように適合化されている、請求項１３に記載の装置。
【請求項１５】
制御部が：（ａ）胃腸管の内皮層を通して薬物をイオントフォレーシス的に駆動するのに十分なレベルであり、かつ（ｂ）電気脈動によって胃腸管の内皮層の強固な接合部を通る薬物の伝導を増大するよう電流を設定するように適合化されている、請求項９に記載の装置。
【請求項１６】
電流がイオントフォレーシス電流および電気脈動電流を包含し、
制御部が、第一および第二の電極の間でイオントフォレーシス電流を駆動するように適合化されており、また、
制御部が、第一および第二の電極の間で電気脈動電流を駆動するように適合化されている、
請求項１５に記載の装置。
【請求項１７】
駆動機構がピストンおよびピストン駆動装置を含んでなり、かつ、該ピストン駆動装置が、薬物をカプセルから駆動するようピストンを駆動するように適合化されている、請求項１または２に記載の装置。
【請求項１８】
ピストン駆動装置が、環境感受性の機構の状態変化に応答して膨張するように適合化された圧縮ガスを含んでなる、請求項１７に記載の装置。
【請求項１９】
ピストン駆動装置がばね様機械的要素を含んでなる、請求項１７に記載の装置。
【請求項２０】
薬物を貯蔵するように適合化されている、摂取可能なカプセルであって、
被験者の胃腸管内でのカプセルの配置に応答してその状態を変えるように適合化されている環境感受性の機構；および
該環境感受性の機構の状態変化に応答して、胃腸管の内皮層を直接通して薬物を駆動するように適合化されている駆動機構、
を含んでなる該カプセル
を含んでなる、薬物投与のための装置。
【請求項２１】
被験者の胃腸管内でのその配置に応答してその状態を変えるように適合化されている摂取可能な環境感受性の機構、および
該環境感受性の機構の状態変化に応答して、胃腸管の内皮層を直接通して薬物を駆動するように適合化されている駆動機構、
を含んでなる、薬物投与のための装置。
【請求項２２】
被験者の胃腸管を通って移動するように適合化されているカプセルであって、
第一および第二の電極；ならびに
胃腸管に沿って長軸方向に分布された複数の部位のそれぞれにおいて、第一の電極から胃腸管の内皮層を通りかつ第二の電極に向けてイオントフォレーシス電流を駆動するように適合化されている制御部、
を含んでなる該カプセル
を含んでなる装置。
【請求項２３】
被験者の胃腸管を通って移動するように適合化されているカプセルであって、
第一および第二の電極；ならびに
胃腸管に沿って長軸方向に分布された複数の部位のそれぞれにおいて、第一の電極から胃腸管の内皮層を通りかつ第二の電極に向けて電気脈動電流を駆動するように適合化されている制御部、
を含んでなる該カプセル
を含んでなる装置。
【請求項２４】
制御部が、カプセルの移動中に電気脈動電流を駆動するように適合化されている、請求項２３に記載の装置。
【請求項２５】
制御部が、第一および第二の電極の間の電圧降下が約３ボルトより大きくなるよう設定するように、また、電気脈動電流の特徴的な周波数が約１Ｈｚと３０Ｈｚの間となるよう設定するように適合化されている、請求項２３に記載の装置。
【請求項２６】
カプセルがその外表面上にコーティングを含んでなり、また、制御部が該コーティングの状態の変化に応答して電気脈動電流を駆動することを開始するように適合化されている、請求項２３〜２５のいずれか１つに記載の装置。
【請求項２７】
カプセルにより貯蔵される薬物；
被験者の胃腸管内でのカプセルの配置に応答してその状態を変えるように適合化されている、環境感受性の機構；および
環境感受性の機構の状態変化に応答して、胃腸管の上皮層を直接通して薬物を駆動するように適合化されている駆動機構、
を含んでなる摂取可能なカプセル
を含んでなる、薬物投与のための装置。
【請求項２８】
環境感受性の機構が、該カプセルが被験者の小腸にある場合に状態の変化を受けるように適合化されている、請求項２７に記載の装置。
【請求項２９】
カプセルが、環境感受性の機構の状態変化に応答して膨張するように適合化されている自己膨張可能な部分を含んでなる、請求項２７または２８に記載の装置。
【請求項３０】
環境感受性の機構がカプセルの表面上のコーティングを含んでなる、請求項２７または２８に記載の装置。 
【請求項３１】
コーティングがｐＨ感受性のコーティングを含んでなる、請求項３０に記載の装置。
【請求項３２】
コーティングが、状態の変化の前に、胃腸管の第一の液体との駆動機構の接触を実質的に防止する様式で駆動機構の一部分を覆うように適合化されており、また、
該コーティングが、胃腸管の第二の液体とコーティングとの接触に応答して、駆動機能の該部分を除覆するように適合化されている、
請求項３０に記載の装置。
【請求項３３】
駆動機構が、該駆動機構の該部分の除覆に応答して、胃腸管の上皮層を直接通して薬物を駆動するように適合化されている、請求項３２に記載の装置。
【請求項３４】
カプセルがその鋭利な先端を含んでなる針を含んでなり、また、
該針の先端が、環境感受性の機構の状態変化に応答して、胃腸管の上皮層に接触するように適合化されている、
請求項２７または２８に記載の装置。
【請求項３５】
駆動機構が制御部、第一の電極および第二の電極を含んでなり、また、
該制御部が、環境感受性の機構の状態変化に応答して第一および第二の電極の間で電流を駆動するように適合化されている、
請求項２７または２８に記載の装置。
【請求項３６】
駆動機構が第三の電極を含んでなり、かつ、制御部が、環境感受性の機構の状態変化に応答して第一および第三の電極の間で電流を駆動するように適合化されている、請求項３５に記載の装置。
【請求項３７】
制御部が、第一および第二の電極の間で駆動される電流を、本質的にイオントフォレーシス電流よりなるよう設定するように適合化されており、また、
制御部が、第一および第三の電極の間で駆動される電流を、本質的に電気脈動電流よりなるよう設定するように適合化されている、
請求項３６に記載の装置。
【請求項３８】
制御部が、電気脈動によって胃腸管の上皮層の強固な接合部を通る薬物の伝導を増大させるように電流を設定するように適合化されている、請求項３５に記載の装置。
【請求項３９】
制御部が、電流が約１００Ｈｚ未満の特徴的な周波数を有するように設定するように適合化されている、請求項３８に記載の装置。
【請求項４０】
制御部が、電流が約１Ｈｚより大きい特徴的な周波数を有するように設定するように適合化されている、請求項３９に記載の装置。
【請求項４１】
制御部が：（ａ）胃腸管の上皮層を通して薬物をイオントフォレーシス的に駆動するのに十分なレベルであり、かつ（ｂ）電気脈動によって胃腸管の上皮層の強固な接合部を通す薬物の伝導を増大するよう電流を設定するように適合化されている、請求項３５に記載の装置。
【請求項４２】
電流がイオントフォレーシス電流および電気脈動電流を包含し、
制御部が、第一および第二の電極の間でイオントフォレーシス電流を駆動するように適合化されており、また、
制御部が、第一および第二の電極の間で電気脈動電流を駆動するように適合化されている、
請求項４１に記載の装置。
【請求項４３】
駆動機構がピストンおよびピストン駆動装置を含んでなり、かつ、該ピストン駆動装置が、薬物をカプセルから駆動するようピストンを駆動するように適合化されている、請求項２７または２８に記載の装置。
【請求項４４】
ピストン駆動装置が、環境感受性の機構の状態変化に応答して膨張するように適合化された圧縮ガスを含んでなる、請求項４３に記載の装置。
【請求項４５】
ピストン駆動装置がばね様機械的要素を含んでなる、請求項４３に記載の装置。
【請求項４６】
薬物を貯蔵するように適合化されている、摂取可能なカプセルであって、
被験者の胃腸管内でのカプセルの配置に応答してその状態を変えるように適合化されている環境感受性の機構；および
該環境感受性の機構の状態変化に応答して、胃腸管の上皮層を直接通して薬物を駆動するように適合化されている駆動機構、
を含んでなる該カプセル
を含んでなる、薬物投与のための装置。
【請求項４７】
被験者の胃腸管内でのその配置に応答してその状態を変えるように適合化されている摂取可能な環境感受性の機構、および
該環境感受性の機構の状態変化に応答して、胃腸管の上皮層を直接通して薬物を駆動するように適合化されている駆動機構、
を含んでなる、薬物投与のための装置。
【請求項４８】
被験者の胃腸管を通って移動するように適合化されているカプセルであって、
第一および第二の電極；ならびに
胃腸管に沿って長軸方向に分布された複数の部位のそれぞれにおいて、第一の電極から胃腸管の上皮層を通りかつ第二の電極に向けてイオントフォレーシス電流を駆動するように適合化されている制御部、
を含んでなる該カプセル
を含んでなる装置。
【請求項４９】
被験者の胃腸管を通って移動するように適合化されているカプセルであって、
第一および第二の電極；ならびに
胃腸管に沿って長軸方向に分布された複数の部位のそれぞれにおいて、第一の電極から胃腸管の上皮層を通りかつ第二の電極に向けて電気脈動電流を駆動するように適合化されている制御部、
を含んでなる該カプセル
を含んでなる装置。
【請求項５０】
制御部が、カプセルの移動中に電気脈動電流を駆動するように適合化されている、請求項４９に記載の装置。
【請求項５１】
制御部が、第一および第二の電極の間の電圧降下が約３ボルトより大きくなるよう設定するように、また、電気脈動電流の特徴的な周波数が約１Ｈｚと３０Ｈｚの間となるよう設定するように適合化されている、請求項４９に記載の装置。
【請求項５２】
カプセルがその外表面上にコーティングを含んでなり、また、制御部が該コーティングの状態の変化に応答して電気脈動電流を駆動することを開始するように適合化されている、請求項４９〜５１のいずれか１つに記載の装置。